(57)【要約】      （修正有）【課題】子供が多い家庭において洗濯後の子供用の衣服の仕分けを容易に行うことが可能で、かつ衣服としてのデザイン性を確保することが可能な子供用の衣服を提供する。【解決手段】子供用の衣服１には、内側に、数字で表された衣服のサイズであるサイズ数字３が少なくとも記載されたタグ２が取り付けられている。また、この衣服には、外側の面に、サイズ数字と同じ数字が衣服のデザインとして直接表示されている。【選択図】図１
0003214973.tif 000002
【実用新案登録請求の範囲】
【請求項１】
子供用の衣服において、
前記衣服の内側には、数字で表された前記衣服のサイズであるサイズ数字が少なくとも記載されたタグが取り付けられ、
前記衣服の外側の面には、前記サイズ数字と同じ数字が前記衣服のデザインとして直接表示されていることを特徴とする子供用の衣服。
【請求項２】
前記衣服の外側の面にデザインとして直接表示された前記サイズ数字と同じ数字をデザイン数字とすると、前記デザイン数字の大きさは、前記サイズ数字の大きさよりも大きくなっていることを特徴とする請求項１記載の子供用の衣服。
【請求項３】
前記衣服の外側の面にデザインとして直接表示された前記サイズ数字と同じ数字をデザイン数字とすると、前記デザイン数字は、前記衣服の外側の面にスクリーン印刷されているか、または、前記衣服に刺繍されていることを特徴とする請求項１または２記載の子供用の衣服。
【請求項４】
前記サイズ数字は、５０から１６０までの１０刻みの数字または５０から１６０までの５刻みの数字であることを特徴とする請求項１から３のいずれかに記載の子供用の衣服。
【請求項５】
前記タグには、前記サイズ数字としての第１サイズ数字と、前記第１サイズ数字よりも大きい前記サイズ数字としての第２サイズ数字とを用いた前記衣服のサイズの範囲が記載され、
前記衣服の外側の面には、前記第１サイズ数字と同じ数字および前記第２サイズ数字と同じ数字が前記衣服のデザインとして直接表示されていることを特徴とする請求項１から４のいずれかに記載の子供用の衣服。
【考案の詳細な説明】
【技術分野】
【０００１】
本考案は、シャツやズボン等の子供用の衣服に関する。
【背景技術】
【０００２】
従来、衣服の使用者に応じて衣服を区別するための識別片が取り付けられた識別片付き衣服が知られている（たとえば、特許文献１参照）。特許文献１に記載の識別片付き衣服では、衣服の着用時に衣服の外側に露出しない部位（すなわち、衣服の内側）に識別片が取り付けられている。特許文献１に記載の識別片付き衣服が、たとえば、男の５人兄弟で使用される場合には、未使用の衣服に、ピンク、茶、白、紺、赤の５枚の色の異なる識別片が取り付けられている。
【０００３】
この衣服を使用する際には、たとえば、長男用の衣服では、ピンクの識別片を残して残りの４枚の識別片がカットされ、次男用の衣服では、茶の識別片を残して残りの４枚の識別片がカットされ、三男用の衣服では、白の識別片を残して残りの４枚の識別片がカットされ、四男用の衣服では、紺の識別片を残して残りの４枚の識別片がカットされ、五男用の衣服では、赤の識別片を残して残りの４枚の識別片がカットされる。そのため、特許文献１に記載の識別片付き衣服の場合、識別片の色を確認することで、誰の衣服であるのかを見分けることが可能になる。
【先行技術文献】
【特許文献】
【０００４】
【特許文献１】登録実用新案第３１０４４１０号公報
【考案の概要】
【考案が解決しようとする課題】
【０００５】
子供が多い家庭では、衣服を洗濯した後に、衣服をたたんで片づける作業は煩雑である。具体的には、子供が多い家庭では、洗濯される子供の衣服が多くなるため、洗濯後の乾燥した多くの衣服を子供ごとの衣服に仕分ける作業が煩雑である。特に、デザインおよびサイズの似通った子供用の衣服がたくさんあると、洗濯後の子供用の衣服の仕分け作業がより煩雑になる。ここで、特許文献１に記載の識別片を子供用の衣服に取り付ければ、識別片を確認することで、どの子供の衣服であるのかを見分けることができるため、子供が多い家庭においても洗濯後の子供用の衣服を仕分けしやすくなる。また、子供の名前を衣服の内側に記入すれば、記入された名前を確認することで、どの子供の衣服であるのかを見分けることができるため、子供が多い家庭においても洗濯後の子供用の衣服を仕分けしやすくなる。
【０００６】
しかしながら、この場合には、衣服の内側に取り付けられた識別片や衣服の内側に記入された名前を、衣服を裏返して確認しなければならないため、この確認作業は面倒である。したがって、衣服の内側に識別片を取り付けたり名前を記入したりする場合であっても、洗濯後の子供用の衣服の仕分け作業が容易になるとは言い難い。一方、特許文献１に記載の識別片を衣服の外側に取り付けたり、衣服の外側に名前を記載したりすれば、確認作業が容易になり、洗濯後の子供用の衣服の仕分け作業は容易になるが、この場合には、衣服としてのデザイン性が低下する。
【０００７】
そこで、本考案の課題は、子供が多い家庭において洗濯後の子供用の衣服の仕分けを容易に行うことが可能であっても、衣服としてのデザイン性を確保することが可能な子供用の衣服を提供することにある。
【課題を解決するための手段】
【０００８】
上記の課題を解決するため、本考案の子供用の衣服は、子供用の衣服において、衣服の内側には、数字で表された衣服のサイズであるサイズ数字が少なくとも記載されたタグが取り付けられ、衣服の外側の面には、サイズ数字と同じ数字が衣服のデザインとして直接表示されていることを特徴とする。
【０００９】
本考案の子供用の衣服では、タグに記載されたサイズ数字（数字で表された衣服のサイズ）と同じ数字が衣服のデザインとして衣服の外側の面に表示されている。そのため、本考案では、子供ごとに衣服のサイズを把握しておくことで、サイズの異なるたくさんの衣服があっても、衣服を見ればすぐにどの子供の衣服であるのかを見分けることが可能になる。したがって、本考案では、子供が多い家庭においても洗濯後の子供用の衣服の仕分けを容易に行うことが可能になる。
【００１０】
また、本考案では、衣服の外側の面にサイズ数字と同じ数字がデザインとして直接表示されているため（すなわち、タグや名札のようなものを使用せずに直接表示されているため）、衣服を見る者は、衣服の外側の面に表示された数字を衣服のサイズとは認識せずに衣服のデザインとして認識する。したがって、本考案では、衣服の見映えが良くなり、その結果、子供が多い家庭において洗濯後の子供用の衣服の仕分けを容易に行うことが可能であっても、衣服としてのデザイン性を確保することが可能になる。
【００１１】
本考案において、衣服の外側の面にデザインとして直接表示されたサイズ数字と同じ数字をデザイン数字とすると、デザイン数字の大きさは、サイズ数字の大きさよりも大きくなっていることが好ましい。このように構成すると、デザイン数字が見やすくなるため、サイズの異なるたくさんの衣服があっても、どの子供の衣服であるのかをより容易に見分けることが可能になる。したがって、洗濯後の子供用の衣服の仕分けをより容易に行うことが可能になる。
【００１２】
本考案において、衣服の外側の面にデザインとして直接表示されたサイズ数字と同じ数字をデザイン数字とすると、デザイン数字は、衣服の外側の面にスクリーン印刷されているか、または、衣服に刺繍されていることが好ましい。このように構成すると、衣服の見映えをより良くすることが可能になるため、衣服のデザイン性を高めることが可能になる。また、このように構成すると、デザイン数字が消えにくくなる。
【００１３】
本考案において、サイズ数字は、たとえば、５０から１６０までの１０刻みの数字または５０から１６０までの５刻みの数字である。また、本考案において、たとえば、タグには、サイズ数字としての第１サイズ数字と、第１サイズ数字よりも大きいサイズ数字としての第２サイズ数字とを用いた衣服のサイズの範囲が記載され、衣服の外側の面には、第１サイズ数字と同じ数字および第２サイズ数字と同じ数字が衣服のデザインとして直接表示されている。
【考案の効果】
【００１４】
以上のように、本考案の子供用の衣服では、子供が多い家庭において洗濯後の子供用の衣服の仕分けを容易に行うことが可能であっても、衣服としてのデザイン性を確保することが可能になる。
【図面の簡単な説明】
【００１５】
【図１】本考案の実施の形態にかかる子供用の衣服を示す図である。
【考案を実施するための形態】
【００１６】
以下、図面を参照しながら、本考案の実施の形態を説明する。図１は、本考案の実施の形態にかかる子供用の衣服１を示す図である。
【００１７】
本形態の子供用の衣服１は、たとえば、図１（Ａ）に示す半袖シャツや図示を省略する長袖シャツ等のように上半身に着用するものや、図１（Ｂ）に示す半ズボン等のズボン、図示を省略するスカートおよび図１（Ｃ）に示す肌着用のパンツ等のように下半身に着用するものである。衣服１の内側には、タグ２が取り付けられている。タグ２には、数字で表された衣服１のサイズであるサイズ数字（図示省略）および衣服１の素材（図示省略）等が記載されている。タグ２に記載されたサイズ数字は、「５０」から「１６０」までの１０刻みの数字である。すなわち、タグ２に記載されたサイズ数字は、「５０」、「６０」、「７０」、「８０」、「９０」、「１００」、「１１０」、「１２０」、「１３０」、「１４０」、「１５０」または「１６０」である。本形態では、タグ２に記載されたサイズ数字は、「１１０」である。なお、本形態の衣服１には、靴下は含まれない。
【００１８】
衣服１の外側の面には、サイズ数字と同じ数字が衣服１のデザインとして直接表示されている。すなわち、本形態の衣服１の外側の面には、数字「１１０」が衣服１のデザインとして直接表示されている。本形態では、衣服１の外側の面に、数字「１１０」が星印等と一緒にデザインとして直接描かれている。衣服１の外側の面にデザインとして直接表示されたサイズ数字と同じ数字をデザイン数字３とすると、デザイン数字３の大きさは、サイズ数字（タグ２に記載されたサイズの数字）の大きさよりも大きくなっている。たとえば、デザイン数字３の大きさは、サイズ数字の大きさの１０倍以上となっている。
【００１９】
デザイン数字３は、衣服１の外側の面にスクリーン印刷されている。具体的には、デザイン数字３は、衣服１の外側の面にシルクスクリーン印刷されている。あるいは、デザイン数字３は、衣服１に刺繍されている。図１（Ａ）に示す半袖シャツ等の上半身に着用する衣服１では、デザイン数字３は、衣服１の前側（胸側）または衣服１の後ろ側（背中側）に描かれている。また、上半身に着用する衣服１において、袖にデザイン数字３が描かれていても良い。また、図１（Ｂ）に示す半ズボンや図１（Ｃ）に示すパンツ等の下半身に着用する衣服１では、デザイン数字３は、衣服１の前側または衣服１の後ろ側（お尻側）に描かれている。
【００２０】
以上説明したように、本形態では、タグ２に記載されたサイズ数字と同じ数字が衣服１のデザインとして衣服１の外側の面に表示されている。そのため、本形態では、子供ごとに衣服１のサイズを把握しておくことで、デザインおよびサイズの似通ったサイズ違いのたくさんの衣服１があっても、衣服１を見ればすぐにどの子供の衣服１であるのかを見分けることが可能になる。特に本形態では、デザイン数字３の大きさがサイズ数字の大きさよりも大きくなっており、衣服１の外側の面に記載されたデザイン数字３が見やすくなるため、デザインおよびサイズの似通ったサイズ違いのたくさんの衣服１があっても、どの子供の衣服１であるのかをより容易に見分けることが可能になる。したがって、本形態では、子供が多い家庭においても洗濯後の子供用の衣服１の仕分けを容易に行うことが可能になる。
【００２１】
また、本形態では、衣服１の外側の面にサイズ数字と同じ数字（デザイン数字３）がデザインとして直接表示されており、デザイン数字３を表すためにタグや名札のようなものが使用されていない。そのため、本形態では、衣服１を見る者は、衣服１の外側の面に描かれたデザイン数字３を衣服１のサイズとは認識せずに衣服１のデザインとして認識する。したがって、本形態では、衣服１の見映えが良くなり、その結果、子供が多い家庭において洗濯後の子供用の衣服１の仕分けを容易に行うことが可能であっても、衣服１としてのデザイン性を確保することが可能になる。特に本形態では、デザイン数字３が、衣服１の外側の面にスクリーン印刷されているか、または、衣服１に刺繍されているため、衣服１の見映えをより良くすることが可能になり、その結果、衣服１のデザイン性を高めることが可能になる。また、本形態では、デザイン数字３が、衣服１の外側の面にスクリーン印刷されているか、または、衣服１に刺繍されているため、デザイン数字が消えにくくなる。
【００２２】
なお、上述した形態において、サイズ数字は、５０から１６０までの１０刻みの数字以外の数字であっても良い。たとえば、サイズ数字は、５０から１６０までの５刻みの数字であっても良い。また、上述した形態において、タグ２に、「５０〜６０」、「５０〜７０」または「６０〜７０」のように、数字を用いた衣服１のサイズの範囲が記載されていても良い。たとえば、タグ２に「５０〜６０」の記載されている場合には、「５０」および「６０」がサイズ数字となる。また、この場合には、「５０」が第１サイズ数字となり、「６０」が第１サイズ数字よりも大きな第２サイズ数字となる。すなわち、タグ２には、第１サイズ数字である「５０」と第２サイズ数字である「６０」とを用いた衣服１のサイズの範囲が記載されている。また、この場合には、衣服１の外側の面に、第１サイズ数字と同じ数字および第２サイズ数字と同じ数字が衣服１のデザインとして直接表示されている。たとえば、「５０〜６０」がデザインとして衣服１の外側の面に描かれている。あるいは、「５０」と「６０」と間の「〜」を星印等の所定の図形等に変更したものがデザインとして衣服１の外側の面に描かれている。
【００２３】
また、上述した形態では、デザイン数字３が星印等の図形と一緒にデザインとして描かれているが、デザイン数字３のみがデザインとして衣服１の外側の面に描かれていても良い。また、デザイン数字３を枠で囲んだものがデザインとして衣服１の外側の面に描かれていても良いし、所定のロゴマークにデザイン数字３が重なったものがデザインとして衣服１の外側の面に描かれていても良い。すなわち、デザイン数字３を含む様々なデザインが衣服１の外側の面に描かれていても良い。
【符号の説明】
【００２４】
１  衣服
２  タグ
３  デザイン数字
【図１】
0003214973.tif 000003